【手続補正書】
【提出日】平成24年9月12日(2012.9.12)
【手続補正１】
【補正対象書類名】特許請求の範囲
【補正対象項目名】全文
【補正方法】変更
【補正の内容】
【特許請求の範囲】
【請求項１】
携帯無線端末と自立分散型の無線通信を行う無線端末であって、
前記携帯無線端末と無線通信を行うチャネルを設定するチャネル設定部と、
前記チャネル設定部に設定されているチャネルにより無線通信を開局するとともに、前記チャネル設定部に設定されているチャネルの情報を前記携帯無線端末に送信する送信部と、
前記開局された後に、前記携帯無線端末から送出されるトリガを受け付けるトリガ受付部と、
前記受け付けたトリガに応じて空きチャネルを検索するとともに、当該検索結果により、前記設定されたチャネルを変更する信号を前記チャネル設定部に送出する空きチャネル検索部と、
を有することを特徴とする無線端末。
【請求項２】
前記空きチャネル検索部は、前記携帯無線端末と前記チャネルを用いて無線通信を行っている間に、前記携帯無線端末との無線通信で使用している前記チャネルを変更する信号を前記チャネル設定部に送出する
ことを特徴とする請求項１に記載の無線端末。
【請求項３】
前記トリガ受付部は、前記携帯無線端末から前記トリガを受け付ける
ことを特徴とする請求項１に記載の無線端末。
【請求項４】
前記無線端末は、無線内視鏡システムのプロセッサ装置である
ことを特徴とする請求項１に記載の無線端末。
【請求項５】
携帯無線端末と無線通信を行うチャネルを設定するチャネル設定部と、トリガを受け付けるトリガ受付部と、前記受け付けたトリガに応じて空きチャネルを検索するとともに、当該検索結果により、前記設定されたチャネルを変更する信号を前記チャネル設定部に送出する空きチャネル検索部と、前記携帯無線端末に当該変更を報告する信号を送信する送信部とを有する無線端末と、自立分散型の無線通信を行う携帯無線端末であって、
前記無線端末に対して、当該無線端末に空きチャネルを検索させるためのトリガを送出する送出部と、
前記送出した前記トリガに対する前記無線端末からの応答であるチャネルに関する情報に基づいて、前記無線端末との無線通信で使用するチャネルを設定するチャネル設定部と、
を有することを特徴とする携帯無線端末。
【請求項６】
前記送出部は、前記トリガを前記無線端末と無線通信を開始するときに送出する
ことを特徴とする請求項５に記載の携帯無線端末。
【請求項７】
前記送出部は、前記トリガを前記無線端末と無線通信を行っている間に送出する
ことを特徴とする請求項５に記載の携帯無線端末。
【請求項８】
前記携帯無線端末は、無線内視鏡システムの内視鏡スコープである
ことを特徴とする請求項５に記載の携帯無線端末。
【請求項９】
携帯無線端末と無線端末とが自立分散型の無線通信を行う無線通信システムであって、
前記携帯無線端末は、
前記無線端末に対して、当該無線端末に空きチャネルを検索させるためのトリガを送出する送出部と、
前記送出した前記トリガに対する前記無線端末からの応答であるチャネルに関する情報に基づいて、前記無線端末との無線通信で使用するチャネルを設定するチャネル設定部と、
を有し、
前記無線端末は、
前記携帯無線端末と無線通信を行うチャネルを設定するチャネル設定部と、
前記チャネル設定部に設定されているチャネルにより無線通信を開局するとともに、前記チャネル設定部に設定されているチャネルの情報を前記携帯無線端末に送信する送信部と、
前記開局された後に、前記携帯無線端末から送出されるトリガを受け付けるトリガ受付部と、
前記受け付けたトリガに応じて空きチャネルを検索するとともに、当該検索結果により、前記設定されたチャネルを変更する信号を前記携帯無線端末の前記チャネル設定部及び前記無線端末の前記チャネル設定部に送出する空きチャネル検索部と、
を有することを特徴とする無線通信システム。
【請求項１０】
前記空きチャネル検索部は、前記携帯無線端末と前記チャネルを用いて無線通信を行っている間に、前記携帯無線端末との無線通信で使用している前記チャネルを変更する信号を前記チャネル設定部に送出する
ことを特徴とする請求項９に記載の無線通信システム。
【請求項１１】
携帯無線端末と無線端末とが自立分散型の無線通信を行う無線通信システムの無線通信方法であって、
前記無線端末にチャネルが設定されるチャネル設定ステップと、
前記チャネルが設定されることにより無線通信が開局されるとともに、前記設定されているチャネルの情報が前記携帯無線端末に送信される送信ステップと、
前記開局された後に、前記携帯無線端末から送出されるトリガを受け付けられるトリガ受付ステップと、
前記受け付けられたトリガに応じて空きチャネルが検索されるとともに、当該検索結果により、前記設定されたチャネルを変更する信号が送出される空きチャネル検索ステップと、
前記送出された前記設定されたチャネルを変更する信号に基づいて、前記携帯無線端末及び前記無線端末に設定されているチャネルが変更されるチャネル変更ステップと、
を含むことを特徴とする無線通信方法。
【請求項１２】
前記空きチャネル検索ステップでは、前記携帯無線端末と前記無線端末とが前記チャネルを用いて無線通信を行っている間に、前記携帯無線端末と前記無線端末との無線通信で使用している、前記設定されたチャネルを変更する信号が送出される
ことを特徴とする請求項１１に記載の無線通信方法。
【請求項１３】
前記送出部は、前記チャネル設定部にチャネルが設定された後に、前記トリガを送出し、
前記チャネル設定部は、前記送出した前記トリガに対する前記無線端末からの応答であるチャネルに関する情報に基づいて、前記チャネル設定部に現在設定されているチャネルを変更する
ことを特徴とする請求項５に記載の携帯無線端末。
【請求項１４】
所定のイベントを検出するイベント検出部をさらに有し、
前記送出部は、前記イベント検出部が所定のイベントを検出した場合、前記トリガを送出する
ことを特徴とする請求項５に記載の携帯無線端末。
【請求項１５】
前記イベント検出部は、前記携帯無線端末が操作されたことを検出する
ことを特徴とする請求項１４に記載の携帯無線端末。
【請求項１６】
前記携帯無線端末の前記送出部は、前記チャネル設定部にチャネルが設定された後に、前記トリガを送出し、
前記携帯無線端末の前記チャネル設定部は、前記送出した前記トリガに対する前記無線端末からの応答であるチャネルに関する情報に基づいて、前記チャネル設定部に現在設定されているチャネルを変更する
ことを特徴とする請求項９に記載の無線通信システム。
【請求項１７】
前記送信ステップと、前記チャネル変更ステップとの間に、前記送信ステップで送信される前記チャネルの情報に基づいて、前記携帯無線端末でチャネルが設定されるステップ
を含むことを特徴とする請求項１１に記載の無線通信方法。
【手続補正２】
【補正対象書類名】明細書
【補正対象項目名】０００８
【補正方法】変更
【補正の内容】
【０００８】
本発明は、携帯無線端末と自立分散型の無線通信を行う無線端末であって、前記携帯無線端末と無線通信を行うチャネルを設定するチャネル設定部と、前記チャネル設定部に設定されているチャネルにより無線通信を開局するとともに、前記チャネル設定部に設定されているチャネルの情報を前記携帯無線端末に送信する送信部と、前記開局された後に、前記携帯無線端末から送出されるトリガを受け付けるトリガ受付部と、前記受け付けたトリガに応じて空きチャネルを検索するとともに、当該検索結果により、前記設定されたチャネルを変更する信号を前記チャネル設定部に送出する空きチャネル検索部と、を有することを特徴とする無線端末である。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
また、本発明の無線端末において、前記空きチャネル検索部は、前記携帯無線端末と前記チャネルを用いて無線通信を行っている間に、前記携帯無線端末との無線通信で使用している前記チャネルを変更する信号を前記チャネル設定部に送出することを特徴とする。
【手続補正５】
【補正対象書類名】明細書
【補正対象項目名】００１３
【補正方法】変更
【補正の内容】
【００１３】
また、本発明は、携帯無線端末と無線通信を行うチャネルを設定するチャネル設定部と、トリガを受け付けるトリガ受付部と、前記受け付けたトリガに応じて空きチャネルを検索するとともに、当該検索結果により、前記設定されたチャネルを変更する信号を前記チャネル設定部に送出する空きチャネル検索部と、前記携帯無線端末に当該変更を報告する信号を送信する送信部とを有する無線端末と、自立分散型の無線通信を行う携帯無線端末であって、前記無線端末に対して、当該無線端末に空きチャネルを検索させるためのトリガを送出する送出部と、前記送出した前記トリガに対する前記無線端末からの応答であるチャネルに関する情報に基づいて、前記無線端末との無線通信で使用するチャネルを設定するチャネル設定部と、を有することを特徴とする携帯無線端末である。
【手続補正６】
【補正対象書類名】明細書
【補正対象項目名】００１７
【補正方法】変更
【補正の内容】
【００１７】
また、本発明は、携帯無線端末と無線端末とが自立分散型の無線通信を行う無線通信システムであって、前記携帯無線端末は、前記無線端末に対して、当該無線端末に空きチャネルを検索させるためのトリガを送出する送出部と、前記送出した前記トリガに対する前記無線端末からの応答であるチャネルに関する情報に基づいて、前記無線端末との無線通信で使用するチャネルを設定するチャネル設定部と、を有し、前記無線端末は、前記携帯無線端末と無線通信を行うチャネルを設定するチャネル設定部と、前記チャネル設定部に設定されているチャネルにより無線通信を開局するとともに、前記チャネル設定部に設定されているチャネルの情報を前記携帯無線端末に送信する送信部と、前記開局された後に、前記携帯無線端末から送出されるトリガを受け付けるトリガ受付部と、前記受け付けたトリガに応じて空きチャネルを検索するとともに、当該検索結果により、前記設定されたチャネルを変更する信号を前記携帯無線端末の前記チャネル設定部及び前記無線端末の前記チャネル設定部に送出する空きチャネル検索部と、を有することを特徴とする無線通信システムである。
【手続補正７】
【補正対象書類名】明細書
【補正対象項目名】００１８
【補正方法】変更
【補正の内容】
【００１８】
また、本発明の無線通信システムにおいて、前記空きチャネル検索部は、前記携帯無線端末と前記チャネルを用いて無線通信を行っている間に、前記携帯無線端末との無線通信で使用している前記チャネルを変更する信号を前記チャネル設定部に送出することを特徴とする。
また、本発明は、携帯無線端末と無線端末とが自立分散型の無線通信を行う無線通信システムの無線通信方法であって、前記無線端末にチャネルが設定されるチャネル設定ステップと、前記チャネルが設定されることにより無線通信が開局されるとともに、前記設定されているチャネルの情報が前記携帯無線端末に送信される送信ステップと、前記開局された後に、前記携帯無線端末から送出されるトリガを受け付けられるトリガ受付ステップと、前記受け付けられたトリガに応じて空きチャネルが検索されるとともに、当該検索結果により、前記設定されたチャネルを変更する信号が送出される空きチャネル検索ステップと、前記送出された前記設定されたチャネルを変更する信号に基づいて、前記携帯無線端末及び前記無線端末に設定されているチャネルが変更されるチャネル変更ステップと、を含むことを特徴とする無線通信方法である。
また、本発明の無線通信方法において、前記空きチャネル検索ステップでは、前記携帯無線端末と前記無線端末とが前記チャネルを用いて無線通信を行っている間に、前記携帯無線端末と前記無線端末との無線通信で使用している、前記設定されたチャネルを変更する信号が送出されることを特徴とする。
また、本発明の携帯無線端末において、前記送出部は、前記チャネル設定部にチャネルが設定された後に、前記トリガを送出し、前記チャネル設定部は、前記送出した前記トリガに対する前記無線端末からの応答であるチャネルに関する情報に基づいて、前記チャネル設定部に現在設定されているチャネルを変更することを特徴とする。
また、本発明は、所定のイベントを検出するイベント検出部をさらに有し、前記送出部は、前記イベント検出部が所定のイベントを検出した場合、前記トリガを送出することを特徴とする携帯無線端末である。
また、本発明の携帯無線端末において、前記イベント検出部は、前記携帯無線端末が操作されたことを検出することを特徴とする。
また、本発明の無線通信システムにおいて、前記携帯無線端末の前記送出部は、前記チャネル設定部にチャネルが設定された後に、前記トリガを送出し、前記携帯無線端末の前記チャネル設定部は、前記送出した前記トリガに対する前記無線端末からの応答であるチャネルに関する情報に基づいて、前記チャネル設定部に現在設定されているチャネルを変更することを特徴とする。
また、本発明は、前記送信ステップと、前記チャネル変更ステップとの間に、前記送信ステップで送信される前記チャネルの情報に基づいて、前記携帯無線端末でチャネルが設定されるステップを含むことを特徴とする無線通信方法である。